(57)【要約】【課題】光源からの光の光量ロスを抑制することができる表示装置を提供する。【解決手段】液晶パネル６と、液晶パネル６の背面６ｂに向けて光を照射するバックライトユニット８と、を備え、バックライトユニット８は、ＬＥＤ２２と、ＬＥＤ２２からの光が側面２４ｂに入射され、側面２４ｂに入射した光を主面２４ａから液晶パネル６の背面６ｂに向けて出射する導光板２４と、光を反射する反射シート２６と、を有し、反射シート２６は、導光板２４の側面２４ｂに対向して配置され、ＬＥＤ２２が貫通される貫通孔３８を有する第１の反射部２６ａと、第１の反射部２６ａの一端部に接続され、導光板２４の主面２４ａとは反対側の面を覆う第２の反射部２６ｂと、第１の反射部２６ａの他端部に接続され、導光板２４の主面２４ａの一部を覆う第３の反射部２６ｃと、を有する。【選択図】図３
2014206656.tif 000002
【特許請求の範囲】
【請求項１】
表示パネルと、
前記表示パネルの背面に向けて光を照射するバックライトユニットと、を備え、
前記バックライトユニットは、
光を発する光源と、
前記光源からの光が側面に入射され、前記側面に入射した光を主面から前記表示パネルの前記背面に向けて出射する導光板と、
光を反射する反射シートと、を有し、
前記反射シートは、
前記導光板の前記側面に対向して配置され、前記光源が貫通される貫通孔を有する第１の反射部と、
前記第１の反射部の一端部に接続され、前記導光板の前記主面とは反対側の面を覆う第２の反射部と、
前記第１の反射部の他端部に接続され、前記導光板の前記主面の一部を覆う第３の反射部と、を有する
表示装置。
【請求項２】
前記バックライトユニットは、さらに、前記光源が実装される配線基板を有し、
前記第１の反射部は、前記配線基板上に配置されている
請求項１に記載の表示装置。
【請求項３】
前記導光板の前記側面には、前記配線基板に向けて延びる凸部が設けられ、
前記凸部は、前記第１の反射部の所定の部位を前記配線基板に押し当てている
請求項２に記載の表示装置。
【請求項４】
前記光源は複数設けられており、
前記複数の光源は、前記配線基板の長手方向に沿って間隔を置いて配置され、
前記凸部は、隣接する一対の前記光源の間に対応して複数設けられ、
前記複数の凸部の各々は、隣接する一対の前記光源の間における前記第１の反射部の部位を前記配線基板に押し当てている
請求項３に記載の表示装置。
【請求項５】
さらに、前記表示パネルの外周部と前記導光板の外周部との間に設けられ、前記表示パネルの前記外周部を支持する支持部材を備え、
前記第３の反射部は、前記支持部材と前記導光板との間に挟持されている
請求項１〜４のいずれか１項に記載の表示装置。
【請求項６】
前記第１の反射部と前記第２の反射部との境界部及び前記第１の反射部と前記第３の反射部との境界部にはそれぞれ、前記反射シートを折り曲げやすくするための折り曲げ部が設けられている
請求項１〜５のいずれか１項に記載の表示装置。
【請求項７】
前記折り曲げ部は、ミシン目状の切り込み又はハーフカットにより形成されている
請求項６に記載の表示装置。
【発明の詳細な説明】
【技術分野】
【０００１】
本発明は、画像を表示するための表示装置に関する。
【背景技術】
【０００２】
従来から、例えば液晶テレビジョン受像機等のように、表示パネルの背面に向けて光を照射するエッジライト方式のバックライトユニットを備えた表示装置が用いられている（例えば、特許文献１参照）。
【０００３】
図１０は、従来の表示装置の構成を示す要部断面図である。図示の表示装置１００では、表示パネル１０２の背面側にエッジライト方式のバックライトユニット１０４が設けられている。このバックライトユニット１０４は、ＬＥＤ（Ｌｉｇｈｔ  Ｅｍｉｔｔｉｎｇ  Ｄｉｏｄｅ）１０６、配線基板１０８及び導光板１１０を備えている。
【０００４】
導光板１１０は、表示パネル１０２に対向して配置されている。導光板１１０の主面１１０ａとは反対側の面は、光を反射するための反射シート１１２により覆われている。ＬＥＤ１０６は、配線基板１０８に実装され、導光板１１０の側面１１０ｂに対向して配置されている。なお、配線基板１０８のＬＥＤ１０６が実装された実装面１０８ａには、白色レジストが形成されている。また、表示パネル１０２の外周部と導光板１１０の外周部との間には、表示パネル１０２の外周部を支持するためのモールドフレーム１１４が設けられている。このモールドフレーム１１４の導光板１１０側の面には、光を反射するための反射テープ１１６が取り付けられている。
【０００５】
ＬＥＤ１０６からの光は、光軸を中心に立体角状に拡がった配光を有している。ＬＥＤ１０６からの光のうち光軸を含む狭配光の光は、図１０中の実線の矢印で示すように、導光板１１０の側面１１０ｂに入射する。導光板１１０の側面１１０ｂに入射した光は、反射シート１１２及び反射テープ１１６によって反射されながら導光板１１０の内部を伝播し、導光板１１０の主面１１０ａから出射する。導光板１１０の主面１１０ａから出射した光によって、表示パネル１０２の背面が照射される。
【０００６】
なお、導光板１１０の側面１１０ｂに入射した光の一部は、反射シート１１２及び反射テープ１１６等によって複数回反射された後に、導光板１１０の側面１１０ｂから出射する。導光板１１０の側面１１０ｂから出射した光は、配線基板１０８の実装面１０８ａに形成された白色レジストで反射されることにより、導光板１１０の側面１１０ｂに再度入射する。
【先行技術文献】
【特許文献】
【０００７】
【特許文献１】特開２００３−２７９９７２号公報
【発明の概要】
【発明が解決しようとする課題】
【０００８】
しかしながら、上述した従来の表示装置１００では、次のような課題が生じる。バックライトユニット１０４の機構上、ＬＥＤ１０６と導光板１１０の側面１１０ｂとの間には隙間が形成されている。これにより、ＬＥＤ１０６からの光のうち広配光の光は、図１０中の一点鎖線の矢印で示すように、導光板１１０の側面１１０ｂに入射されずに、表示パネル１０２の照明に寄与しない。そのため、ＬＥＤ１０６からの光の全光量に対する導光板１１０の側面１１０ｂに入射する光の光量の割合が低下することにより、ＬＥＤ１０６からの光の光量ロスが生じるという課題が生じる。
【０００９】
本発明は、上述した課題を解決しようとするものであり、その目的は、光源からの光の光量ロスを抑制することができる表示装置を提供することである。
【課題を解決するための手段】
【００１０】
上記目的を達成するために、本発明の一態様に係る表示装置は、表示パネルと、前記表示パネルの背面に向けて光を照射するバックライトユニットと、を備え、前記バックライトユニットは、光を発する光源と、前記光源からの光が側面に入射され、前記側面に入射した光を主面から前記表示パネルの前記背面に向けて出射する導光板と、光を反射する反射シートと、を有し、前記反射シートは、前記導光板の前記側面に対向して配置され、前記光源が貫通される貫通孔を有する第１の反射部と、前記第１の反射部の一端部に接続され、前記導光板の前記主面とは反対側の面を覆う第２の反射部と、前記第１の反射部の他端部に接続され、前記導光板の前記主面の一部を覆う第３の反射部と、を有する。
【００１１】
本態様によれば、反射シートは第２の反射部及び第３の反射部を有しているので、光源からの光のうち広配光の光は、第２の反射部及び第３の反射部で反射された後に、導光板の側面に入射する。これにより、光源からの光の全光量に対する導光板の側面に入射する光の光量の割合を高めることができ、光源からの光の光量ロスを抑制することができる。
【００１２】
例えば、本発明の一態様に係る表示装置において、前記バックライトユニットは、さらに、前記光源が実装される配線基板を有し、前記第１の反射部は、前記配線基板上に配置されているように構成してもよい。
【００１３】
本態様によれば、第１の反射部は配線基板上に配置されているので、導光板の側面から出射した光は、第１の反射部で反射された後に、導光板の側面に再度入射する。これにより、光源からの光の光量ロスをより効果的に抑制することができる。
【００１４】
例えば、本発明の一態様に係る表示装置において、前記導光板の前記側面には、前記配線基板に向けて延びる凸部が設けられ、前記凸部は、前記第１の反射部の所定の部位を前記配線基板に押し当てているように構成してもよい。
【００１５】
本態様によれば、導光板の側面に設けられた凸部が第１の反射部の所定の部位を配線基板に押し当てていることにより、第１の反射部が配線基板から離れるのを防止することができる。
【００１６】
例えば、本発明の一態様に係る表示装置において、前記光源は複数設けられており、前記複数の光源は、前記配線基板の長手方向に沿って間隔を置いて配置され、前記凸部は、隣接する一対の前記光源の間に対応して複数設けられ、前記複数の凸部の各々は、隣接する一対の前記光源の間における前記第１の反射部の部位を前記配線基板に押し当てているように構成してもよい。
【００１７】
本態様によれば、光源が複数設けられている場合において、複数の凸部の各々が隣接する一対の光源の間における第１の反射部の部位を配線基板に押し当てていることにより、第１の反射部が配線基板から離れるのをより効果的に防止することができる。
【００１８】
例えば、本発明の一態様に係る表示装置において、さらに、前記表示パネルの外周部と前記導光板の外周部との間に設けられ、前記表示パネルの前記外周部を支持する支持部材を備え、前記第３の反射部は、前記支持部材と前記導光板との間に挟持されているように構成してもよい。
【００１９】
本態様によれば、第３の反射部は支持部材と導光板との間に挟持されているので、第３の反射部を既存の部品を利用して固定することができる。
【００２０】
例えば、本発明の一態様に係る表示装置において、前記第１の反射部と前記第２の反射部との境界部及び前記第１の反射部と前記第３の反射部との境界部にはそれぞれ、前記反射シートを折り曲げやすくするための折り曲げ部が設けられているように構成してもよい。
【００２１】
本態様によれば、第１の反射部と第２の反射部との境界部及び第１の反射部と第３の反射部との境界部にはそれぞれ折り曲げ部が設けられているので、反射シートを折り曲げ部に沿って容易に折り曲げることができる。これにより、反射シートを容易に組み立てることができる。
【００２２】
例えば、本発明の一態様に係る表示装置において、前記折り曲げ部は、ミシン目状の切り込み又はハーフカットにより形成されているように構成してもよい。
【００２３】
本態様によれば、折り曲げ部をミシン目状の切り込み又はハーフカットにより形成することができる。
【発明の効果】
【００２４】
本発明の一態様に係る表示装置によれば、光源からの光の光量ロスを抑制することができる。
【図面の簡単な説明】
【００２５】
【図１】本発明の実施の形態１に係る表示装置の正面側を示す斜視図である。
【図２】図１の表示装置の背面側を示す斜視図である。
【図３】図１中のＡ−Ａ線により切断した表示装置の要部断面図である。
【図４】バックライトユニットの一部を分解した状態を示す斜視図である。
【図５】反射シートを配線基板から取り外した状態を示す要部斜視図である。
【図６】反射シートを展開した状態を示す平面図である。
【図７】本発明の実施の形態２に係る表示装置のバックライトユニットの一部を示す要部斜視図である。
【図８】図７のバックライトユニットの一部を分解した状態を示す要部斜視図である。
【図９】図７中のＢ−Ｂ線により切断したバックライトユニットの要部断面図である。
【図１０】従来の表示装置の構成を示す要部断面図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
［表示装置の構成］
まず、図１〜図６を参照しながら、本発明の実施の形態１に係る表示装置の構成について説明する。図１は、本発明の実施の形態１に係る表示装置の正面側を示す斜視図である。図２は、図１の表示装置の背面側を示す斜視図である。図３は、図１中のＡ−Ａ線により切断した表示装置の要部断面図である。図４は、バックライトユニットの一部を分解した状態を示す斜視図である。図５は、反射シートを配線基板から取り外した状態を示す要部斜視図である。図６は、反射シートを展開した状態を示す平面図である。
【００２８】
図示の表示装置２は、筐体４と、筐体４の内部に設けられた液晶パネル６（表示パネルを構成する）及びバックライトユニット８と、を備えている。本実施の形態の表示装置２は、エッジライト方式のバックライトユニット８を備える液晶テレビジョン受像機である。
【００２９】
筐体４は、フロントキャビネット１０及びリアキャビネット１２が相互に組み合わされることにより構成されている。
【００３０】
フロントキャビネット１０は、液晶パネル６の正面６ａ側に配置されている。フロントキャビネット１０は額縁状に構成され、液晶パネル６の外周部を覆っている。なお、フロントキャビネット１０は、例えば樹脂等で形成されている。
【００３１】
リアキャビネット１２は、液晶パネル６の背面６ｂに対向して配置されている。リアキャビネット１２は、液晶パネル６とは反対側にやや膨らんだ形状を有するとともに、液晶パネル６を配置するための矩形状の開口部１２ａを有している。なお、リアキャビネット１２は、例えば樹脂等で形成されている。
【００３２】
リアキャビネット１２の外面における中央部には、液晶パネル６及びバックライトユニット８等に対して電力を供給するための電源基板等（図示せず）が取り付けられている。リアキャビネット１２の外面には、リアカバー１４が取り付けられている。上述した電源基板等は、このリアカバー１４によって覆われている。リアカバー１４の下端部には、筐体４を下方より支持するためのスタンド１６が取り付けられている。なお、リアカバー１４は、例えば樹脂等で形成されている。
【００３３】
バックライトユニット８は、図３に示すように、リアキャビネット１２の内面側に支持されている。バックライトユニット８は、上述した電源基板からの電力が供給されることにより、液晶パネル６の背面６ｂに向けて光を照射する。バックライトユニット８は、図３及び図４に示すように、ヒートシンク１８、配線基板２０、複数のＬＥＤ２２（複数のＬＥＤの各々は光源を構成する）、導光板２４及び反射シート２６を有している。
【００３４】
ヒートシンク１８は、平板状の放熱部２８と、放熱部２８の一端部から液晶パネル６側に略垂直に延びる取付部３０と、を有している。すなわち、ヒートシンク１８の断面形状は、略Ｌ字状に構成されている。放熱部２８は、ビス（図示せず）によりリアキャビネット１２の内面側に取り付けられている。なお、ヒートシンク１８は、熱伝導性の高い金属、例えばアルミニウム等で形成されている。
【００３５】
配線基板２０は、長尺状の板状に構成されている。配線基板２０上には、複数のＬＥＤ２２がその長手方向に沿って一列に且つ間隔を置いて実装されている。複数のＬＥＤ２２の各々は、例えばチップ型のＬＥＤである。配線基板２０は、熱伝導性を有する両面テープ（図示せず）によりヒートシンク１８の取付部３０に取り付けられている。なお、配線基板２０は、熱伝導性の高い金属、例えばアルミニウム等で形成されている。
【００３６】
導光板２４は、例えばゴム材等で形成されたクッション部材３２を介して、ヒートシンク１８の放熱部２８に支持されている。なお、クッション部材３２は、導光板２４の外周部に対応して配置されている。導光板２４の側面２４ｂは、複数のＬＥＤ２２の各々に対向して配置されている。導光板２４の主面２４ａは、液晶パネル６の背面６ｂに対向して配置されている。
【００３７】
なお、導光板２４の主面２４ａは、相互に重ね合わされた拡散シート３４及びレンズシート３６により覆われている。拡散シート３４は、導光板２４の主面２４ａから出射した光を拡散するための光学シートである。レンズシート３６は、拡散シート３４により拡散された光を液晶パネル６の背面６ｂに導くための光学シートである。
【００３８】
ここで、本実施の形態の表示装置２の特徴である、反射シート２６の構成について説明する。反射シート２６は、第１の反射部２６ａ、第２の反射部２６ｂ及び第３の反射部２６ｃを有している。反射シート２６は、例えばＰＥＴ（ポリエチレンテレフタレート）等で形成されている。反射シート２６の反射率は、例えば９０％以上である。
【００３９】
第１の反射部２６ａは、配線基板２０の複数のＬＥＤ２２が実装された実装面を覆っており、配線基板２０の長手方向に沿って長尺状に延びている。図５に示すように、第１の反射部２６ａには、複数のＬＥＤ２２に対応して複数の貫通孔３８が設けられている。複数の貫通孔３８の各々には、ＬＥＤ２２が貫通されている。
【００４０】
第２の反射部２６ｂは、第１の反射部２６ａの一端部に接続されている。第２の反射部２６ｂは、第１の反射部２６ａに対して略垂直に延び、配線基板２０と導光板２４との間の領域をリアキャビネット１２側から覆うとともに、導光板２４の背面２４ｃ（すなわち、導光板２４の主面２４ａとは反対側の面）の全域を覆っている。なお、上述したクッション部材３２が第２の反射部２６ｂを導光板２４に押し当てることにより、第２の反射部２６ｂが導光板２４の背面２４ｃに取り付けられる。
【００４１】
第３の反射部２６ｃは、第１の反射部２６ａの他端部に接続されている。第３の反射部２６ｃは、第１の反射部２６ａに対して略垂直に延び、配線基板２０と導光板２４との間の領域を液晶パネル６側から覆うとともに、導光板２４の主面２４ａの一部の領域（すなわち、導光板２４の配線基板２０側の端部における領域）を覆っている。第３の反射部２６ｃのＸ軸方向における長さは、第２の反射部２６ｂのＸ軸方向における長さよりも短い。
【００４２】
なお、図６に示すように、第１の反射部２６ａと第２の反射部２６ｂとの境界部には第１の折り曲げ部４０が設けられ、第１の反射部２６ａと第３の反射部２６ｃとの境界部には第２の折り曲げ部４２が設けられている。第１の折り曲げ部４０及び第２の折り曲げ部４２はそれぞれ、反射シート２６を折り曲げやすくするためのものであり、例えば、直線状に延びるミシン目状の切り込み又はハーフカット等により形成されている。第１の折り曲げ部４０及び第２の折り曲げ部４２は、相互に略平行に延びている。
【００４３】
反射シート２６を組み立てる際には、まず、反射シート２６が平面状に展開された状態から、図６中の矢印Ｘで示すように、第１の折り曲げ部４０に沿って第２の反射部２６ｂを第１の反射部２６ａに対して略垂直に折り曲げる。その後、図６中の矢印Ｙで示すように、第２の折り曲げ部４２に沿って第３の反射部２６ｃを第１の反射部２６ａに対して略垂直に折り曲げる。このようにして、反射シート２６を容易に組み立てることができる。
【００４４】
図３に示すように、リアキャビネット１２の開口部１２ａには、液晶パネル６の外周部をその背面６ｂ側より支持するためのモールドフレーム４４（支持部材を構成する）がビス（図示せず）により取り付けられている。モールドフレーム４４は、例えば、額縁状に構成されている。モールドフレーム４４のリアキャビネット１２側における面には第１のリブ４６が設けられ、モールドフレーム４４の液晶パネル６側における面には第２のリブ４８が設けられている。第１のリブ４６は、リアキャビネット１２側に向けて突出し、第２のリブ４８は、液晶パネル６側に向けて突出している。第１のリブ４６は、モールドフレーム４４と導光板２４との間に拡散シート３４及びレンズシート３６の厚みの分だけ隙間を形成するためのものである。これにより、拡散シート３４及びレンズシート３６の各々の外周部は、モールドフレーム４４と導光板２４との間に挟持される。第２のリブ４８は、モールドフレーム４４とベゼル５０（後述する）との間に液晶パネル６の厚みの分だけ隙間を形成するためのものである。
【００４５】
なお、上述した第３の反射部２６ｃは、モールドフレーム４４の外周部（すなわち、モールドフレーム４４の第１のリブ４６より外側の部位）と導光板２４との間に挟持されている。これにより、第３の反射部２６ｃは、導光板２４の主面２４ａに取り付けられる。
【００４６】
液晶パネル６は矩形状に構成され、その外周部は、モールドフレーム４４の内周部（すなわち、モールドフレーム４４の第２のリブ４８より内側の部位）に支持されている。液晶パネル６の背面６ｂにバックライトユニット８からの光が照射されることにより、液晶パネル６に画像が表示される。液晶パネル６の正面６ａ側における外周部は、ベゼル５０によって覆われている。ベゼル５０は、例えば額縁状に構成されており、ビス（図示せず）によりモールドフレーム４４に固定されている。これにより、液晶パネル６の外周部は、ベゼル５０とモールドフレーム４４との間に挟持される。なお、フロントキャビネット１０は、ベゼル５０及びモールドフレーム４４を覆うようにして、ビス（図示せず）によりリアキャビネット１２に取り付けられている。
【００４７】
複数のＬＥＤ２２の各々が点灯されることにより、複数のＬＥＤ２２の各々から光が出力される。複数のＬＥＤ２２の各々の光のうち光軸を含む狭配光の光は、図３中の実線の矢印で示すように、導光板２４の側面２４ｂに入射する。導光板２４の側面２４ｂに入射した光は、第２の反射部２６ｂ及び第３の反射部２６ｃで反射されながら導光板２４の内部を伝播し、導光板２４の主面２４ａから出射する。一方、複数のＬＥＤ２２の各々の光のうち広配光の光は、図３中の一点鎖線の矢印で示すように、第２の反射部２６ｂ及び第３の反射部２６ｃで反射された後に、導光板２４の側面２４ｂに入射する。
【００４８】
導光板２４の側面２４ｂに入射した光の一部は、第２の反射部２６ｂ及び第３の反射部２６ｃ等によって複数回反射された後に、導光板２４の側面２４ｂから出射する。導光板２４の側面２４ｂから出射した光は、第１の反射部２６ａで反射されることにより、導光板２４の側面２４ｂに再度入射する。
【００４９】
なお、複数のＬＥＤ２２の各々が点灯されることにより、複数のＬＥＤ２２の各々は発熱する。複数のＬＥＤ２２の各々からの熱は、配線基板２０、両面テープ及び取付部３０を介して放熱部２８に伝達される。放熱部２８に伝達された熱は、空気中に放熱される。
【００５０】
［効果］
次に、本実施の形態の表示装置２により得られる効果について説明する。反射シート２６は第２の反射部２６ｂ及び第３の反射部２６ｃを有しているので、複数のＬＥＤ２２の各々の光のうち広配光の光は、第２の反射部２６ｂ及び第３の反射部２６ｃで反射された後に、導光板２４の側面２４ｂに入射する。これにより、複数のＬＥＤ２２の各々からの光の全光量に対する導光板２４の側面２４ｂに入射する光の光量の割合を高めることができ、複数のＬＥＤ２２の各々からの光の光量ロスを抑制することができる。
【００５１】
さらに、反射シート２６は第１の反射部２６ａを有しているので、導光板２４の側面２４ｂから出射した光は、第１の反射部２６ａで反射された後に、導光板２４の側面２４ｂに再度入射する。一般に、反射シート２６の反射率は、従来の配線基板の実装面に形成されている白色レジストの反射率よりも高いので、第１の反射部２６ａで反射された光を導光板２４の側面２４ｂに効率良く入射させることができる。また、本実施の形態の表示装置２では、白色レジストが形成されていない配線基板２０を用いることができるので、表示装置２の製造コストを低減することができる。
【００５２】
（実施の形態２）
次に、図７〜図９を参照しながら、本発明の実施の形態２に係る表示装置の構成について説明する。図７は、本発明の実施の形態２に係る表示装置のバックライトユニットの一部を示す要部斜視図である。図８は、図７のバックライトユニットの一部を分解した状態を示す要部斜視図である。図９は、図７中のＢ−Ｂ線により切断したバックライトユニットの要部断面図である。以下、本実施の形態のバックライトユニット８Ａと上記実施の形態１のバックライトユニット８との構成上の相違点について説明する。
【００５３】
図８及び図９に示すように、本実施の形態のバックライトユニット８Ａでは、導光板２４Ａの側面２４ｂには、配線基板２０に向けて延びる複数の凸部６０が設けられている。複数の凸部６０の各々は、隣接する一対のＬＥＤ２２の間に対応して設けられている。複数の凸部６０の各々は、隣接する一対のＬＥＤ２２の間における第１の反射部２６ａの部位を配線基板２０の実装面に押し当てている。これにより、第１の反射部２６ａが配線基板２０の実装面から離れるのを防止することができる。
【００５４】
以上、本発明の実施の形態１及び２に係る表示装置について説明したが、本発明は、これらの実施の形態に限定されるものではない。例えば、上記各実施の形態をそれぞれ組み合わせるとしてもよい。
【００５５】
上記各実施の形態では、表示装置が液晶テレビジョン受像機である場合について説明したが、表示装置は、液晶テレビジョン受信機以外に、例えばパーソナルコンピュータ用の液晶モニタ等でもよい。
【００５６】
上記各実施の形態では、バックライトユニットの光源としてＬＥＤを用いたが、例えば冷陰極管（Ｃｏｌｄ  Ｃａｔｈｏｄｅ  Ｆｌｕｏｒｅｓｃｅｎｔ  Ｌａｍｐ：ＣＣＦＬ）等を用いることもできる。
【００５７】
上記各実施の形態では、バックライトユニットはヒートシンクを有しているが、このヒートシンクを省略することもできる。この場合には、配線基板は、例えばアルミニウム等で形成されたリアフレームに取り付けられる。
【００５８】
上記各実施の形態では、導光板の側面に凸部を複数個設けたが、凸部を１個のみ設けることもできる。
【産業上の利用可能性】
【００５９】
本発明の表示装置は、例えば、液晶テレビジョン受像機及びパーソナルコンピュータ用の液晶モニタ等として適用することができる。
【符号の説明】
【００６０】
２，１００  表示装置
４  筐体
６，１０２  液晶パネル
６ａ  正面
６ｂ  背面
８，８Ａ，１０４  バックライトユニット
１０  フロントキャビネット
１２  リアキャビネット
１２ａ  開口部
１４  リアカバー
１６  スタンド
１８  ヒートシンク
２０，１０８  配線基板
２２，１０６  ＬＥＤ
２４，２４Ａ，１１０  導光板
２４ａ，１１０ａ  主面
２４ｂ，１１０ｂ  側面
２４ｃ  背面
２６，１１２  反射シート
２６ａ  第１の反射部
２６ｂ  第２の反射部
２６ｃ  第３の反射部
２８  放熱部
３０  取付部
３２  クッション部材
３４  拡散シート
３６  レンズシート
３８  貫通孔
４０  第１の折り曲げ部
４２  第２の折り曲げ部
４４，１１４  モールドフレーム
４６  第１のリブ
４８  第２のリブ
５０  ベゼル
６０  凸部
１０８ａ  実装面
１１６  反射テープ
【図１】
2014206656.tif 000003
【図２】
2014206656.tif 000004
【図３】
2014206656.tif 000005
【図４】
2014206656.tif 000006
【図５】
2014206656.tif 000007
【図６】
2014206656.tif 000008
【図７】
2014206656.tif 000009
【図８】
2014206656.tif 000010
【図９】
2014206656.tif 000011
【図１０】
2014206656.tif 000012